(57)【要約】【課題】除湿効率の低下を抑制すると共に、室内へ吹き出す除湿空気の温度の低下を抑制することができる空気調和機を提供する。【解決手段】空気調和機は、室内機２内に配置される室内熱交換器１１と室外機３内に配置される室外熱交換器２４とを含む冷媒回路を備え、蒸発器として機能している室内熱交換器１１を通過して除湿された除湿空気を室内へと吹き出させて室内を除湿するドライ運転を行う空気調和機であって、プロペラファン２９と給排気ホース６と制御部とを備える。プロペラファン２９は、室外熱交換器２４に室外の空気を通す。給排気ホース６は、室外熱交換器２４を通った空気を室内機２へと搬送する。制御部は、ドライ運転時には、凝縮器として機能している室外熱交換器２４を通って温度が上昇した高温空気を給排気ホース６により室内機２へと搬送させて、室内へと吹き出す除湿空気の温度を高温空気の熱により上昇させる第１再熱制御を行うことができる。【選択図】　　　　図２
2004076975.tif 000002
【特許請求の範囲】
【請求項１】
室内機（２）内に配置される室内熱交換器（１１）と室外機（３）内に配置される室外熱交換器（２４）とを含む冷媒回路を備え、蒸発器として機能している前記室内熱交換器（１１）を通過して除湿された除湿空気を室内へと吹き出させて室内を除湿するドライ運転を行う空気調和機であって、
前記室外熱交換器（２４）に室外の空気を通す室外送風部（２９）と、
前記室外熱交換器（２４）を通った空気を前記室内機（２）へと搬送する搬送経路（６）と、
前記ドライ運転時には、凝縮器として機能している前記室外熱交換器（２４）を通って温度が上昇した高温空気を前記搬送経路（６）により前記室内機（２）へと搬送させて、室内へと吹き出す前記除湿空気の温度を前記高温空気の熱により上昇させる第１再熱制御を行うことができる制御部（８）と、
を備える空気調和機。
【請求項２】
前記制御部（８）は、前記室内熱交換器（１１）の一部（１１ａ）を凝縮器、他の部分（１１ｂ）を蒸発器として機能させて室内を除湿する第２再熱制御を前記第１再熱制御と併せて行うことができる、
請求項１に記載の空気調和機。
【請求項３】
前記高温空気を加熱する加熱部（３４）をさらに備える、
請求項１または２に記載の空気調和機。
【請求項４】
前記室外機（３）内に配置され前記冷媒回路に含まれる圧縮機（２１）と、
前記高温空気と前記圧縮機（２１）の吐出側の冷媒との間で熱交換を行わせる熱交換手段（３５）と、
をさらに備える請求項１から３のいずれかに記載の空気調和機。
【請求項５】
前記搬送経路（６）は、蒸発器として機能している前記室内熱交換器（１１）の下流側に前記空気を吹き出すように設けられる、
請求項１から４のいずれかに記載の空気調和機。
【請求項６】
前記搬送経路（６）は、凝縮器として機能している前記室内熱交換器（１１）の一部（１１ａ）の上流側に前記空気を吹き出すように設けられる、
請求項２に記載の空気調和機。
【請求項７】
前記高温空気を除湿する除湿手段（４１）をさらに備える、
請求項５または６に記載の空気調和機。
【請求項８】
前記高温空気を脱臭する脱臭手段（３６）をさらに備える、
請求項５から７のいずれかに記載の空気調和機。
【請求項９】
前記高温空気を殺菌する殺菌手段（３７）をさらに備える、
請求項５から８のいずれかに記載の空気調和機。
【発明の詳細な説明】
【０００１】
【発明の属する技術分野】
本発明は、空気調和機、特に、室内機内に配置される室内熱交換器と室外機内に配置される室外熱交換器とを含む冷媒回路を備え、蒸発器として機能している室内熱交換器を通過して除湿された除湿空気を室内へと吹き出させて室内を除湿するドライ運転を行う空気調和機に関する。
【０００２】
【従来の技術】
室内を除湿するドライ運転を行う空気調和機が近年よく利用されるようになっている。このような空気調和機には、室内機内に配置される室内熱交換器と室外機内に配置される室外熱交換器とを含む冷媒回路を備え、蒸発器として機能している前記室内熱交換器を通過して除湿された除湿空気を室内へと吹き出させることによりドライ運転を行うものがある。この空気調和機では、空気が、蒸発器として機能している室内熱交換器を通過することにより冷やされて、空気の温度が低下する。空気の温度が低下すると、空気に含まれる湿気が結露して、空気から水分が取り出される。そして、空気調和機は、この湿度の低下した空気を室内へと吹き出す。
【０００３】
しかし、上記のような空気調和機においては、ドライ運転時には、温度の低下した空気が室内へと吹き出すことになる。このため、室内の居住者は肌寒さを感じることがある。
このような問題を解決するために、再熱ドライ運転（再熱制御）を行う空気調和機が提案されている（例えば、特許文献１参照。）。この再熱ドライ運転では、室内熱交換器の一部を蒸発器として機能させることにより除湿を行うと共に、室内熱交換器の一部を凝縮器として機能させることにより除湿された空気を加熱する。このため、この再熱ドライ運転を行う空気調和機は、室内へと吹き出す空気の温度が低下することを抑制しつつ除湿を行うことができる。
【０００４】
【特許文献１】
特開２００１−９９５２１号公報
【０００５】
【発明が解決しようとする課題】
しかし、上記の様な再熱ドライ運転を行う空気調和機では、室内熱交換器の一部を凝縮器として作用させるために、除湿効率の低下を招く恐れがある。
本発明の課題は、除湿効率の低下を抑制すると共に、室内へ吹き出す除湿空気の温度の低下を抑制することができる空気調和機を提供することにある。
【０００６】
【課題を解決するための手段】
請求項１に記載の空気調和機は、室内機内に配置される室内熱交換器と室外機内に配置される室外熱交換器とを含む冷媒回路を備え、蒸発器として機能している室内熱交換器を通過して除湿された除湿空気を室内へと吹き出させて室内を除湿するドライ運転を行う空気調和機であって、室外送風部と搬送経路と制御部とを備える。室外送風部は、室外熱交換器に室外の空気を通す。搬送経路は、室外熱交換器を通った空気を室内機へと搬送する。制御部は、第１再熱制御を行うことができる。この第１再熱制御は、ドライ運転時には、凝縮器として機能している室外熱交換器を通って温度が上昇した高温空気を搬送経路により室内機へと搬送させて、室内へと吹き出す除湿空気の温度を高温空気の熱により上昇させる制御である。
【０００７】
この空気調和機では、室外の空気が、ドライ運転時に凝縮器として機能している室外熱交換器を通ることにより、温度の上昇した高温空気となる。そして、この空気調和機では、室内へと吹き出す除湿空気の温度を高温空気の熱を利用して上昇させることができる。このため、室内へと吹き出す除湿空気の温度の低下を抑制することができる。また、除湿空気の温度を上昇させるのは室外熱交換器を通って温度が上昇した高温空気であるので、除湿効率の低下を抑制することもできる。これにより、この空気調和機では、除湿効率の低下を抑制すると共に室内へ吹き出す除湿空気の温度の低下を抑制することができる。
【０００８】
請求項２に記載の空気調和機は、請求項１に記載の空気調和機であって、制御部は、室内熱交換器の一部を凝縮器、他の部分を蒸発器として機能させて室内を除湿する第２再熱制御を第１再熱制御と併せて行うことができる。
この空気調和機では、第１再熱制御と、室内熱交換器の一部を凝縮器、他の部分を蒸発器として機能させて室内を除湿する第２再熱制御とを併せて行うことができる。第２再熱制御のみが行われる場合には、室内熱交換器が、凝縮器として機能する部分と蒸発器として機能する部分とに分かれて使用されるため、除湿効率が低下する恐れがある。しかし、この空気調和機では、第１再熱制御と第２再熱制御とを併せて行うことができるため、第２再熱制御のみが行われる場合と比べて、除湿効率の低下を抑制することができる。
【０００９】
請求項３に記載の空気調和機は、請求項１または２に記載の空気調和機であって、高温空気を加熱する加熱部をさらに備える。
この空気調和機では、室外熱交換器を通って温度が上昇した高温空気を加熱部がさらに加熱することができる。このため、この空気調和機では、室内へと吹き出す除湿空気の温度の低下をさらに抑制することができる。
【００１０】
請求項４に記載の空気調和機は、請求項１から３のいずれかに記載の空気調和機であって、室外機内に配置され冷媒回路に含まれる圧縮機と、高温空気と圧縮機の吐出側の冷媒との間で熱交換を行わせる熱交換手段とをさらに備える。
この空気調和機では、室外熱交換器を通って温度が上昇した高温空気を熱交換手段によりさらに高い温度にすることができる。このため、この空気調和機では、室内へと吹き出す除湿空気の温度の低下をさらに抑制することができる。
【００１１】
請求項５に記載の空気調和機は、請求項１から４のいずれかに記載の空気調和機であって、搬送経路は、蒸発器として機能している室内熱交換器の下流側に空気を吹き出すように設けられる。
この空気調和機では、搬送経路が、蒸発器として機能している室内熱交換器の下流側に空気を吹き出すように設けられる。従って、第１再熱制御が行われる場合には、室外熱交換器を通って温度が上昇した高温空気が、蒸発器として機能している室内熱交換器の下流側に吹き出す。このため、蒸発器として機能している室内熱交換器を通って除湿された除湿空気は、高温空気と混合されて温度が上昇する。これにより、この空気調和機では、除湿効率の低下を抑制すると共に室内へ吹き出す除湿空気の温度の低下を抑制することができる。
【００１２】
請求項６に記載の空気調和機は、請求項２に記載の空気調和機であって、搬送経路は、凝縮器として機能している室内熱交換器の一部の上流側に空気を吹き出すように設けられる。
この空気調和機では、搬送経路が、凝縮器として機能している室内熱交換器の一部の上流側に空気を吹き出すように設けられる。第２再熱制御では、室内へと吹き出す空気は、凝縮器として機能している室内熱交換器の一部により加熱される。第１再熱制御では、室外熱交換器を通って温度が上昇した高温空気が、凝縮器として機能している室内熱交換器の一部の上流側に空気を吹き出す。従って、凝縮器として機能している室内熱交換器の一部は、室外機から送られた高温空気を加熱することになる。このため、凝縮器として機能している室内熱交換器の一部の負荷が低減される。これにより、この空気調和機では、除湿効率の低下を抑制することができる。
【００１３】
請求項７に記載の空気調和機は、請求項５または６に記載の空気調和機であって、高温空気を除湿する除湿手段をさらに備える。
この空気調和機では、除湿手段が高温空気を除湿することができる。このため、この空気調和機では、高温空気と除湿空気とが混合した室内へと吹き出す空気の湿度をさらに低下させることができる。
【００１４】
請求項８に記載の空気調和機は、請求項５から７のいずれかに記載の空気調和機であって、高温空気を脱臭する脱臭手段をさらに備える。
この空気調和機では、脱臭手段が高温空気を脱臭することができる。このため、この空気調和機では、室内へ吹き出す空気の臭気を低減することができる。
請求項９に記載の空気調和機は、請求項５から８のいずれかに記載の空気調和機であって、高温空気を殺菌する殺菌手段をさらに備える。
【００１５】
この空気調和機では、殺菌手段が高温空気を殺菌することができる。このため、この空気調和機では、室内へと吹き出す空気に含まれる菌を低減することができる。
【００１６】
【発明の実施の形態】
＜第１実施形態＞
［空気調和機の概略構成］
本発明の第１実施形態に係る空気調和機１の外観を図１に示す。
この空気調和機１は、室内の壁面などに取り付けられる室内機２と、室外に設置される室外機３とに分かれて構成されている。室外機３は、室外熱交換器やプロペラファンなどを収納する室外空調ユニット５と加湿給排気ユニット４とを備えている。室内機２内には室内熱交換器が収納され、室外機３内には室外熱交換器が収納されている。そして、各熱交換器およびこれらの熱交換器を接続する冷媒配管３１，３２が、冷媒回路を構成している。また、室外機３と室内機２との間には、加湿給排気ユニット４からの除湿空気や加湿空気等を室内機２側に供給するときや室内の空気を室外に排気するときに用いられる給排気ホース６が設けられている。この給排気ホース６は、後述するドライ運転時においては室外熱交換器を通った高温空気を室内機２へと搬送する。
【００１７】
また、空気調和機１の冷暖房等の空調運転やドライ運転等の運転制御を行う制御部８（図４参照）が、室内機２及び室外機３に分かれて設けられている。この空気調和機１は、ドライ運転においては、蒸発器として機能している室内熱交換器を通過して除湿された除湿空気を室内へと吹き出させて室内を除湿することができる。
【００１８】
［空気調和機の詳細構成］
図２に、空気調和機１が備える冷媒回路等の構成と空気の流れの概略とを表す図を示す。
〔室外空調ユニットにかかる構成〕
室外空調ユニット５には、圧縮機２１と、圧縮機２１の吐出側に接続される四路切換弁２２と、圧縮機２１の吸入側に接続されるアキュムレータ２３と、四路切換弁２２に接続された室外熱交換器２４と、室外熱交換器２４に接続された電動弁２５とが設けられている。電動弁２５は、フィルタ２６および液閉鎖弁２７を介して冷媒配管３２に接続されており、この冷媒配管３２を介して室内熱交換器１１の一端と接続される。また、四路切換弁２２は、ガス閉鎖弁２８を介して冷媒配管３１に接続されており、この冷媒配管３１を介して室内熱交換器１１の他端と接続されている。これらの冷媒配管３１，３２は、上述した給排気ホース６及び図示しない通信線等と共に集合連絡管７を形成する。
【００１９】
また、室外空調ユニット５内には、室外熱交換器２４での熱交換後の空気を外部に排出するためのプロペラファン２９が設けられている。このプロペラファン２９は、室外ファンモータ３０によって回転駆動される。プロペラファン２９は、室外空調ユニット５内に取り入れた室外の空気を、室外熱交換器２４に通して室外熱交換器２４と接触させ室外空調ユニットの前面に設けられた吹出し口から室外機３の前方に排気させる。
【００２０】
さらに、室外空調ユニット５には、室外熱交換器２４を通って排気される空気の一部を後述する加湿給排気ユニット４へと搬送する再熱空気経路３３が設けられている。室外熱交換器２４を通って排気される空気の一部は、後述するラジアルファン組立体４３が生成する空気流へと送られる（実線矢印Ａ３参照）。
〔加湿給排気ユニットに係る構成〕
加湿給排気ユニット４には、吸加湿ロータ４１、吸着用ファン４６、ヒータ組立体４２、ラジアルファン組立体４３、切換ダンパ４４等が配置されている。
【００２１】
吸加湿ロータ４１は、空気が容易に通過できる構造となっており、ゼオライト、シリカゲル、あるいはアルミナといった吸着剤から焼成されている。このゼオライト等の吸着剤は、接触する空気中の水分を吸着し、加熱されることによって吸着して含有する水分を脱着する性質を有している。
吸着用ファン４６は、吸着用ファンモータ４７によって回転する遠心ファンである。吸着用ファン４６は、加湿給排気ユニット４のケーシングに設けられた吸込み口から、吸加湿ロータ４１を経て、加湿給排気ユニット４のケーシングに設けられた吹出し口へと流れる空気流を生成する（実線矢印Ａ４参照）。加湿給排気ユニット４内に室外から取り入れられた空気は、吸加湿ロータ４１を通過する際に、含有する水分を吸加湿ロータ４１によって吸着される。そして、吸加湿ロータ４１を通る際に水分を吸着された乾燥空気は、吹出し口から加湿給排気ユニット４の前方へ向けて排気される。
【００２２】
ラジアルファン組立体４３は、ラジアルファン４３ａと、ラジアルファン４３ａを駆動するラジアルファンモータ４３ｂとにより構成される。ラジアルファン組立体４３は、加湿給排気ユニット４のケーシングに設けられた給排気口から吸加湿ロータ４１を経て室内機２へと到る空気の流れを生成して、室外から取り入れた空気を室内機２へと送る。室外から取り込まれて吸加湿ロータ４１へ送られる空気は、ヒータ組立体４２により加熱される（実線矢印Ａ５参照）。吸加湿ロータ４１に吸着されている水分は、ヒータ組立体４２からの熱により、ラジアルファン組立体４３によって生成される空気流中に脱着していく。ラジアルファン組立体４３は、吸加湿ロータ４１を通り抜けてきた空気を、給排気ホース６を介して室内機２へと送る（実線矢印Ａ１参照）。この室内機２へと送られる空気は、吸加湿ロータ４１に吸着されていた水分を含むようになっている。このようにして加湿給排気ユニット４から室内機２に供給された空気は、室内熱交換器１１を経て室内に吹き出される。
【００２３】
また、ラジアルファン組立体４３は、室内機２から取り入れた空気を室外へと排出することもできる。ラジアルファン組立体４３は、切換ダンパ４４が切り替わることにより、これらの動作を切り替える。
切換ダンパ４４は、ラジアルファン組立体４３の近傍に配置される回転式の空気流路切換手段であり、第１状態と第２状態とに切り替わる。
【００２４】
第１状態においては、ラジアルファン組立体４３から吹き出された空気は、給排気ホース６を通って室内機２へと供給されるようになる。これにより、第１状態では、実線矢印Ａ１で示す矢印の向きに空気が流れ、加湿空気あるいは室外空気が給排気ホース６を通って室内機２へと供給されるようになる。
第２状態では、破線矢印Ａ２で示す矢印の向きに空気が流れ、室内機２から給排気ホース６を通ってきた空気がラジアルファン組立体４３から加湿給排気ユニット４のケーシングに設けられた給排気口を経て室外へと排気される。
【００２５】
〔室内機にかかる構成〕
室内機２には、室内熱交換器１１が設けられている。この室内熱交換器１１は、長さ方向両端で複数回折り返されてなる伝熱管と、伝熱管が挿通される複数のフィンとからなり、接触する空気との間で熱交換を行う。
また、室内機２内には、クロスフローファン１２と、クロスフローファン１２を回転駆動する室内ファンモータ１３とが設けられている。クロスフローファン１２は、円筒形状に構成され、周面には多数の羽根が設けられており、回転軸と交わる方向に空気流を生成する。このクロスフローファン１２は、室内空気を室内機２内に吸い込ませるとともに、室内熱交換器１１との間で熱交換を行った後の空気を室内に吹き出させる。
【００２６】
図３に室内機２の側面の断面図を示す。
室内機２の中心付近にはクロスフローファン１２が設けられており、クロスフローファン１２の前方及び上方を囲むように室内熱交換器１１が設けられている。室内機２のケーシングの上面には、複数のスリット状の開口からなる吸込み口１４が設けられており、この吸込み口１４を通って室内の空気が室内機２内に取り込まれる。室内機２のケーシングの下面付近には吹出し口１５が設けられており、この吹出し口１５を通って室内機２内の空気が室内へと吹き出す。クロスフローファン１２と吹出し口１５とを結ぶ空気経路の途中には、給排気ホース６によって搬送された空気が吹き出す搬送空気吹出し口１６ａが設けられている。
【００２７】
〔制御部にかかる構成〕
この空気調和機１は、図４に示すような制御部８を備えている。この制御部８は、圧縮機２１、四路切換弁２２、室内ファンモータ１３、電動弁２５、室外ファンモータ３０、ヒータ組立体４２、ラジアルファンモータ４３ｂ、切換ダンパ４４等と接続されており、各部を制御することにより冷暖房等の空調運転、加湿運転や換気運転等の制御を行う。また、制御部８は、ドライ運転時には以下に説明する第１再熱制御を行う。
【００２８】
［ドライ運転時の制御］
まず、ドライ運転時の制御の基本となる冷房運転時の制御について説明する。空気調和機１において、制御部８は、冷房運転時には、四路切換弁２２を図２のように実線の位置とし、電動弁２５を所定の開度に絞り、圧縮機２１を起動する。圧縮機２１から吐出される高圧冷媒は、室外熱交換器２４で凝縮した後、電動弁２５で減圧される。減圧された低圧冷媒は、室内熱交換器１１で蒸発した後、四路切換弁２２、アキュムレータ２３を介して圧縮機２１に戻る。室内熱交換器１１で冷媒が蒸発する際に、室内空気は冷媒に熱を奪われ、この熱を奪われた室内空気が冷気として働く。
【００２９】
ドライ運転時には、制御部８は、上記のような冷房運転中に、圧縮機２１の回転数を増加させ、室内熱交換器１１の温度を低下させ、室内機２に設けられるクロスフローファン１２の風量を低下させる。室内機２に取り込まれた空気は、冷房運転時よりさらに低温となった室内熱交換器１１に接触して有効に水分を取り除かれた除湿空気となる。
【００３０】
本実施形態にかかる空気調和機１では、このようなドライ運転時に、制御部８が以下のような第１再熱制御を行う。
ドライ運転時には、室外から取り込まれた空気は、凝縮器として機能している室外熱交換器２４を通って室外熱交換器２４の外面に接触することにより、温度の高い高温空気となっている。制御部８は、ラジアルファン組立体４３により再熱空気経路３３から給排気ホース６を介して室内機２へと到る空気流を生成して、高温空気の一部を室内機２へ搬送させる。室内機２へと搬送された高温空気は、図３に示すように、搬送空気吹出し口１６ａからクロスフローファン１２と吹出し口１５とを結ぶ空気経路の途中へと吹き出す。すなわち、高温空気は、蒸発器として機能している室内熱交換器１１を通る空気流の室内熱交換器１１より下流側に吹き出す。このため、高温空気は、室内から取り込まれて室内熱交換器１１を通って除湿された除湿空気と混合される。従って、高温空気の熱により除湿空気の温度が上昇する。そして、除湿空気と高温空気とが混合された空気が、吹出し口１５から室内へと吹き出して室内へと供給される。
【００３１】
［特徴］
（１）この空気調和機１では、ドライ運転時には、室外機３内の高温空気が室内機２へと送られ、室内へと吹き出す除湿空気と混合される。このため、高温空気の熱により、室内へ吹き出す除湿空気の温度が上昇する。これにより、この空気調和機１では、室内へ吹き出す空気の温度の低下が抑えられている。従って、この空気調和機１は、室内温度を下げることなく除湿を行うことができ、ドライ運転時の吹き出し温度の低下による肌寒さが防止されている。
【００３２】
（２）室内へ吹き出す空気の再熱のための制御としては、室内熱交換器１１を２つに分けてその間に電動弁等の減圧器を設けることにより、室内熱交換器１１の一部を凝縮器として機能させてこの部分で空気を温める制御がある。しかし、この制御では、室内熱交換器が２つに分けて使用され、その間の減圧器において冷媒が減圧されるため、除湿効率の低下を招いている。
【００３３】
この空気調和機１では、室外機３から室内機２へと送られる高温空気により室内へ吹き出す空気の再熱が行われるため、室内熱交換器１１を分けて使用することなく、また、室内機２において室内熱交換器１１の間で冷媒が減圧されることもない。これにより、この空気調和機１では、除湿効率の低下が防止されている。
【００３４】
（３）この空気調和機１では、従来は屋外に捨てられていた廃熱を室内へと吹き出す空気の加熱に再利用している。このため、空気調和機１のシステム全体としての熱効率の向上に繋がり、省エネルギ化が実現されている。
＜第２実施形態＞
［構成］
第２実施形態にかかる空気調和機の冷媒回路の構成を図５に示す。
【００３５】
この空気調和機では、室内熱交換器１１は、第１室内熱交換器１１ａと第２室内熱交換器１１ｂとから構成されており、第１室内熱交換器１１ａと第２室内熱交換器１１ｂとの間には、室内機電動弁１７が設けられている。
また、図６に示すように、第１室内熱交換器１１ａは、クロスフローファン１２の上方の前半分を覆うように配置されている。第２室内熱交換器１１ｂは、クロスフローファン１２の前方を覆う部分と上方の後半分を覆う部分とに分かれて配置されている。そして、搬送空気吹出し口１６ｂが、第１室内熱交換器１１ａの前方に設けられている。他の構成については、第１実施形態にかかる空気調和機１と同様である。
【００３６】
そして、制御部８は、ドライ運転時には、第１実施形態における第１再熱制御に併せて、以下に説明する第２再熱制御を行う。
［ドライ運転時の制御］
制御部８は、ドライ運転時に、室内熱交換器１１の一部を凝縮器、他の部分を蒸発器として機能させて室内を除湿する第２再熱制御を行う。すなわち、制御部８は、四路切換弁２２を図５のように実線の位置とし、電動弁２５を全開にし、室内機電動弁１７を絞って圧縮機２１を起動する。圧縮機２１から吐出される高圧冷媒は、室外熱交換器２４、電動弁２５を介して第１室内熱交換器１１ａに流入し、第１室内熱交換器１１ａで凝縮した後、室内機電動弁１７で減圧される。減圧された低圧冷媒は、第２室内熱交換器１１ｂで蒸発した後、四路切換弁２２、アキュムレータ２３を介して圧縮機２１に戻る。このとき、第１室内熱交換器１１ａでは、冷媒が凝縮するため室内空気は加熱され、第２室内熱交換器１１ｂでは、冷媒が蒸発するため室内空気を冷却、除湿される。
【００３７】
制御部８は、上記の第２再熱制御と併せて第１再熱制御を行う。従って、室内機２では、高温空気が、搬送空気吹出し口１６ｂから吹き出す。搬送空気吹出し口１６ｂは、第１室内熱交換器１１ａの前方に設けられている、すなわち、第１室内熱交換器１１ａを通る空気流の第１室内熱交換器１１ａより上流側に吹き出す。このため、高温空気は、室内から取り込まれた空気の一部と共に、凝縮器として機能している第１室内熱交換器１１ａを通る際に加熱される。また、室内から取り込まれた他の空気は、蒸発器として機能している第２室内熱交換器１１ｂを通る際に冷却されて除湿される。第１室内熱交換器１１ａを通って加熱された空気と第２室内熱交換器１１ｂを通って除湿された除湿空気とは、混合されて室内機２から吹き出し、室内へと供給される。
【００３８】
［特徴］
この空気調和機では、第１再熱制御と第２再熱制御とを併せて行うことができる。第２再熱制御のみを行う場合には、室内熱交換器１１が凝縮器として機能する部分と蒸発器として機能する部分と分かれて使用され、その間で冷媒が電動弁により減圧されるため、除湿効率が低下する恐れがある。しかし、この空気調和機では、第１再熱制御と第２再熱制御とを併せて行うことにより、室外機３から送られる高温空気の熱が第２再熱制御における室内へと吹き出す空気の加熱を補助している。このため、凝縮器として機能している第１室内熱交換器１１ａで必要とされる加熱量が低減している。これにより、この空気調和機では、第２再熱制御のみを行う場合と比べて、除湿効率の低下が軽減されている。
【００３９】
なお、室内へと吹き出す空気の加熱の補助という観点からは、搬送空気吹出し口１６ｂを、第１実施形態と同様に、クロスフローファン１２と吹出し口１５とを結ぶ空気経路の途中に設けてもよい。この場合も、搬送空気吹出し口１６ｂから吹き出す高温空気が、凝縮器として機能している第１室内熱交換器１１ａを通って加熱される空気と第２室内熱交換器１１ｂの下流側で混合される。このため、高温空気の熱が、室内へ吹き出す空気の加熱を補助する。これにより、上記と同様の効果が得られる。
【００４０】
＜第３実施形態＞
第３実施形態にかかる空気調和機の冷媒回路の構成図を図７に示す。この空気調和機では、ヒータ３４が設けられている。ヒータ３４は、室外機３内に設けられており、室外熱交換器２４を通った高温空気をさらに加熱する。
他の構成については、第１実施形態にかかる空気調和機１と同様である。
【００４１】
この空気調和機では、室内機２へと送られる高温空気が、ヒータ３４により加熱されて、さらに温度の高い空気となる。このため、この空気調和機では、室内へ吹き出す空気の温度の低下を防止する効果がさらに高くなっている。
＜第４実施形態＞
第４実施形態にかかる空気調和機の冷媒回路の構成図を図８に示す。この空気調和機では、熱交換装置３５が設けられている。熱交換装置３５は、室外熱交換器２４を通った高温空気と圧縮機２１の吐出側の冷媒との間で熱交換を行わせる。
【００４２】
他の構成については、第１実施形態にかかる空気調和機１と同様である。
この空気調和機では、室内機２へと送られる高温空気が熱交換装置３５において圧縮機２１の吐出側の冷媒との間で熱交換される。圧縮機２１の吐出側の冷媒は高温となっているため、熱交換を行うことにより高温空気はさらに温度の高い空気となる。このため、この空気調和機では、室内へ吹き出す空気の温度の低下を防止する効果がさらに高くなっている。
【００４３】
＜第５実施形態＞
第５実施形態にかかる空気調和機では、室外熱交換器２４を通った高温空気が吸加湿ロータ４１を通るように再熱空気経路３３が設けられる。この空気調和機では、室外熱交換器２４を通った高温空気は、吸加湿ロータ４１において吸湿されてから室内機２へと搬送される。
【００４４】
なお、吸加湿ロータ４１とは別にゼオライト等の吸湿剤を含む吸湿部材を室内機２へと送られる空気の経路中に設けてもよい。
他の構成については第１実施形態にかかる空気調和機１と同様である。
この空気調和機では、吸加湿ロータ４１により高温空気が吸湿される。このため、室内へと吹き出す空気の温度の低下を防止すると共に、室内へ吹き出す空気の湿度をさらに下げることができる。
【００４５】
＜第６実施形態＞
第６実施形態にかかる空気調和機の冷媒回路の構成図を図９に示す。この空気調和機では、脱臭フィルター３６が設けられている。脱臭フィルター３６は、活性炭等の脱臭材を含むフィルターであり、室外機３内に設けられる。脱臭フィルター３６は、室外熱交換器を通り室内機２へと送られる高温空気を脱臭・除塵する。
【００４６】
他の構成については、第１実施形態にかかる空気調和機１と同様である。
この空気調和機では、室内機２へと送られる高温空気が脱臭フィルター３６により脱臭・除塵されて室内へと吹き出す。このため、この空気調和機では、室内機２から室内へと吹き出す空気の温度の低下を防止すると共に室内環境を清浄に保つことができる。
【００４７】
＜第７実施形態＞
第７実施形態にかかる空気調和機の冷媒回路の構成図を図１０に示す。この空気調和機では、紫外線ランプ３７が設けられている。紫外線ランプ３７は、室外機３内に設けられ、室外熱交換器２４を通って室内機２へと送られる高温空気を殺菌する。
【００４８】
他の構成については、第１実施形態にかかる空気調和機１と同様である。
この空気調和機では、室内機２へと送られる高温空気が紫外線ランプ３７により殺菌されて室内へと吹き出す。このため、この空気調和機では、室内へと吹き出す空気の温度の低下を防止すると共に室内の衛生状態を向上させることができる。
【００４９】
＜他の実施形態＞
（１）上記の第１実施形態から第７実施形態にかかる空気調和機では、高温空気を除湿空気と混合して室内へ吹き出すことにより、室内機２から室内へと吹き出す空気の温度の低下を防止している。すなわち、上記の実施形態にかかる空気調和機では高温空気により直接に室内へ吹き出す空気の温度を上昇させているが、高温空気の熱を利用して間接的に室内へ吹き出す空気の温度を上昇させてもよい。例えば、室内機２内に高温空気と除湿空気との間で熱交換を行わせる熱交換装置を設けてもよい。このような空気調和機によっても、除湿空気の温度を上昇させることができ、室内へと吹き出す空気の温度の低下を防止することができる。
【００５０】
（２）上記の実施形態では、ヒータ３４、吸加湿ロータ４１、脱臭フィルター３６および紫外線ランプ３７は、各実施形態における室外機３内に設けられているが、室内機２内に設けられてもよい。これらが室内機２内に設けられる場合であっても上記と同様の効果が得られる。
【００５１】
【発明の効果】
請求項１に記載の空気調和機では、室外の空気が、ドライ運転時に凝縮器として機能している室外熱交換器を通ることにより、温度の上昇した高温空気となる。そして、この空気調和機では、室内へと吹き出す除湿空気の温度を高温空気の熱を利用して上昇させることができる。このため、室内へと吹き出す除湿空気の温度の低下を抑制することができる。また、除湿空気の温度を上昇させるのは室外熱交換器を通って温度が上昇した高温空気であるので、除湿効率の低下を抑制することもできる。これにより、この空気調和機では、除湿効率の低下を抑制すると共に室内へ吹き出す除湿空気の温度の低下を抑制することができる。
【００５２】
請求項２に記載の空気調和機では、第１再熱制御と、室内熱交換器の一部を凝縮器、他の部分を蒸発器として機能させて室内を除湿する第２再熱制御とを併せて行うことができる。第２再熱制御のみが行われる場合には、室内熱交換器が、凝縮器として機能する部分と蒸発器として機能する部分とに分かれて使用されるため、除湿効率が低下する恐れがある。しかし、この空気調和機では、第１再熱制御と第２再熱制御とを併せて行うことができるため、第２再熱制御のみが行われる場合と比べて、除湿効率の低下を抑制することができる。
【００５３】
請求項３に記載の空気調和機では、室外熱交換器を通って温度が上昇した高温空気を加熱部がさらに加熱することができる。このため、この空気調和機では、室内へと吹き出す除湿空気の温度の低下をさらに抑制することができる。
請求項４に記載の空気調和機では、室外熱交換器を通って温度が上昇した高温空気を熱交換手段によりさらに高い温度にすることができる。このため、この空気調和機では、室内へと吹き出す除湿空気の温度の低下をさらに抑制することができる。
【００５４】
請求項５に記載の空気調和機では、搬送経路が、蒸発器として機能している室内熱交換器の下流側に空気を吹き出すように設けられる。従って、第１再熱制御が行われる場合には、室外熱交換器を通って温度が上昇した高温空気が、蒸発器として機能している室内熱交換器の下流側に吹き出す。このため、蒸発器として機能している室内熱交換器を通って除湿された除湿空気は、高温空気と混合されて温度が上昇する。これにより、この空気調和機では、除湿効率の低下を抑制すると共に室内へ吹き出す除湿空気の温度の低下を抑制することができる。
【００５５】
請求項６に記載の空気調和機では、搬送経路が、凝縮器として機能している室内熱交換器の一部の上流側に空気を吹き出すように設けられる。第２再熱制御では、室内へと吹き出す空気は、凝縮器として機能している室内熱交換器の一部により加熱される。第１再熱制御では、室外熱交換器を通って温度が上昇した高温空気が、凝縮器として機能している室内熱交換器の一部の上流側に空気を吹き出す。従って、凝縮器として機能している室内熱交換器の一部は、室外機から送られた高温空気を加熱することになる。このため、凝縮器として機能している室内熱交換器の一部の負荷が低減される。これにより、この空気調和機では、除湿効率の低下を抑制することができる。
【００５６】
請求項７に記載の空気調和機では、除湿手段が高温空気を除湿することができる。このため、この空気調和機では、高温空気と除湿空気とが混合した室内へと吹き出す空気の湿度をさらに低下させることができる。
請求項８に記載の空気調和機では、脱臭手段が高温空気を脱臭することができる。このため、この空気調和機では、室内へ吹き出す空気の臭気を低減することができる。
【００５７】
請求項９に記載の空気調和機では、殺菌手段が高温空気を殺菌することができる。このため、この空気調和機では、室内へと吹き出す空気に含まれる菌を低減することができる。
【図面の簡単な説明】
【図１】第１実施形態にかかる空気調和機の外観図。
【図２】第１実施形態にかかる空気調和機の冷媒回路等の構成図。
【図３】第１実施形態にかかる空気調和機の室内機の断面図。
【図４】第１実施形態にかかる空気調和機の制御ブロック図。
【図５】第２実施形態にかかる空気調和機の冷媒回路等の構成図
【図６】第２実施形態にかかる空気調和機の室内機の断面図。
【図７】第３実施形態にかかる空気調和機の冷媒回路等の構成図。
【図８】第４実施形態にかかる空気調和機の冷媒回路等の構成図。
【図９】第６実施形態にかかる空気調和機の冷媒回路等の構成図。
【図１０】第７実施形態にかかる空気調和機の冷媒回路等の構成図。
【符号の説明】
１　　　　空気調和機
２　　　　室内機
３　　　　室外機
６　　　　給排気ホース（搬送経路）
８　　　　制御部
１１　　　室内熱交換器
２１　　　圧縮機
２４　　　室外熱交換器
２９　　　プロペラファン（室外送風部）
３４　　　ヒータ（加熱部）
３５　　　熱交換装置（熱交換手段）
３６　　　脱臭フィルター（脱臭手段）
３７　　　紫外線ランプ（殺菌手段）
４１　　　吸加湿ロータ（除湿手段）
【図１】
2004076975.tif 000003
【図２】
2004076975.tif 000004
【図３】
2004076975.tif 000005
【図４】
2004076975.tif 000006
【図５】
2004076975.tif 000007
【図６】
2004076975.tif 000008
【図７】
2004076975.tif 000009
【図８】
2004076975.tif 000010
【図９】
2004076975.tif 000011
【図１０】
2004076975.tif 000012